(57)【要約】【課題】  製造コストの増大を招くことなく、パソコンからスキャナやプリンタを直接制御でき、かつスキャナおよびプリンタを用いたコピー制御可能なインタフェース制御装置および画像処理システムを提供する。【解決手段】  インタフェース制御装置１０は、上位装置１と、印刷装置３および画像入力装置２との間に設けられ、各装置間の入出力関係の切替えを行うインタフェース部１１と、利用者から切替え指示を受入れる入力部１７と、切替え指示に基づいて、上位装置１と、印刷装置３又は画像入力装置２との間で通信する第１の制御モードと、上位装置との接続を切離し、印刷装置および画像入力装置の間で通信する第２の制御モードとを切替えるべく前記インタフェース部１１に対し制御信号を出力する制御部１３と、第１の制御モードにおいて、上位装置からのコマンドを解析し、上位装置の接続対象を印刷装置および画像入力装置から選択し、選定した装置において認識可能な実行コマンドを生成するコマンド管理部１２とを備える。【選択図】        図１
2005267412.tif 000002
【特許請求の範囲】
【請求項１】
上位装置と、印刷装置および画像入力装置との間に設けられ、前記各装置間の入出力関係の切替えを制御モード切替指示に基づいて切替えるインタフェース部と、
利用者から前記制御モード切替え指示を受入れるための入力部と、
前記入力部で得た切替え指示に基づいて、前記上位装置と、前記印刷装置又は前記画像入力装置との間で通信する第１の制御モードと、前記上位装置との接続を切離し、前記印刷装置および前記画像入力装置の間で通信する第２の制御モードとを切替えるべく前記インタフェース部に対し制御信号を出力する制御部と、
前記第１の制御モードにおいて、前記上位装置からのコマンドを解析して、当該上位装置の接続対象を前記印刷装置および前記画像入力装置から選択し、選定した装置において認識可能な実行コマンドを生成するコマンド管理部と、を備えることを特徴とするインタフェース制御装置。
【請求項２】
前記第２の制御モードにおいて、前記入力部で得た切替え指示に基づいて、前記上位装置との接続を切離し、前記印刷装置および前記画像入力装置の間で通信するべく、前記コマンド管理部は、前記印刷装置および前記画像入力装置の間で認識可能な実行コマンドを生成することを特徴とする請求項１に記載のインタフェース制御装置。
【請求項３】
他の上位装置とネットワーク接続するためのネットワーク通信部と、
前記ネットワーク通信部で受入れた前記他の上位装置からの通信コマンドを解析し、前記印刷装置または前記画像入力装置の何れか一方の装置を選定するためのコマンドを生成するコマンド変換部とを有することを特徴とする請求項１に記載のインタフェース制御装置。
【請求項４】
上位装置と、印刷装置と、画像入力装置と、請求項１から請求項３のいずれかに記載のインタフェース制御装置とを接続して成る画像処理システム。
【発明の詳細な説明】
【技術分野】
【０００１】
本発明は、パソコンの周辺機器を用いてコピー機動作を実現するインタフェース制御装置に関し、特にコピー機能、ネットワークスキャン機能およびネットワークプリント機能を実現すべく、スキャナおよびプリンタがケーブル接続されるインタフェース制御装置および該インタフェース制御装置を用いた画像処理システムに関する。
【背景技術】
【０００２】
コピー装置は、原稿に照射した光の反射光を光学センサで読み取り電気信号を得ると、該電気信号に基づいてデジタル化し、適宜、補正を施しデジタルデータを生成する。この様にして得られたデジタルデータに基づいて、静電潜像が感光体表面に形成される。形成された静電潜像に対しトナーを付着させてトナー像を形成する。形成したトナー像に記録紙を重ね、静電力によりトナー像を記録紙へ転写する。転写されたトナー像に対し、熱を加えて定着することで、コピー像が得られる。
【０００３】
前記デジタルデータの取得処理は、パソコンの周辺機器として市販されているスキャナで行われている処理と同じである。また、前記デジタルデータに基づきトナーを転写し定着し画像を形成して出力する処理は、パソコンの周辺機器として市販されているプリンタで行われている処理と同じものである。従って、スキャナおよびプリンタを統合して制御可能の操作パネルを採用により、スキャナとプリンタとからなるコピーシステムを構成することができる。
【０００４】
その一例が、特許文献１に開示されている。特許文献１によれば、コピー制御機能を拡張ボードに集約し、該拡張ボードをプリンタに搭載し、操作ユニットでスキャナ、プリンタおよびコピーなどの使用条件を設定する画像処理システムがコピーシステムとして開示されている。
【特許文献１】特開２００１−１５０７６９号公報
【発明の開示】
【発明が解決しようとする課題】
【０００５】
しかしながら、特許文献１において、パソコンからスキャナやプリンタを直接制御して、画像取込み処理や印刷処理を行うためには、スキャナおよびプリンタをそれぞれ制御するためのネットワークインタフェースを拡張ボードに設ける必要があり、しかも当該拡張ボードをスキャナおよびプリンタにそれぞれ設ける必要があることから、製造コストが増大する問題が指摘されていた。
【０００６】
かかる問題に鑑みて、本発明の目的は、製造コストの増大を招くことなく、パソコンからスキャナやプリンタを直接制御でき、かつスキャナおよびプリンタを用いたコピー制御可能なインタフェース制御装置および該インタフェース制御装置を用いた画像処理システムを提供することにある。
【課題を解決するための手段】
【０００７】
本発明は、以上の問題を解決するために、次の構成を採用する。
〈構成１〉
本発明のインタフェース制御装置は、上位装置と、印刷装置および画像入力装置との間に設けられ、各装置間の入出力関係の切替えを制御モード切替指示に基づいて切替えるインタフェース部と、利用者から制御モード切替え指示を受入れるための入力部と、前記入力部で得た切替え指示に基づいて、上位装置と、印刷装置又は画像入力装置との間で通信する第１の制御モードと、上位装置との接続を切離し、印刷装置および画像入力装置の間で通信する第２の制御モードとを切替えるべく前記インタフェース部に対し制御信号を出力する制御部と、第１の制御モードにおいて、上位装置からのコマンドを解析して、当該上位装置の接続対象を印刷装置および画像入力装置から選択し、選定した装置において認識可能な実行コマンドを生成するコマンド管理部と、を備えることを特徴とする。
【０００８】
〈構成２〉
第２の制御モードにおいて、入力部で得た切替え指示に基づいて、上位装置との接続を切離し、印刷装置および画像入力装置の間で通信するべく、コマンド管理部は、印刷装置および画像入力装置の間で認識可能な実行コマンドを生成することを特徴とする。
【０００９】
〈構成３〉
他の上位装置とネットワーク接続するためのネットワーク通信部と、ネットワーク通信部で受入れた他の上位装置からの通信コマンドを解析し、印刷装置または画像入力装置の何れか一方の装置を選定するためのコマンドを生成するコマンド変換部とを有することを特徴とする。
〈構成４〉
上位装置と、印刷装置と、画像入力装置と、インタフェース制御装置とを接続して成る画像処理システム。
【発明の効果】
【００１０】
本発明によれば、使用者からの指示に基づいて、第１の制御モード（ハブモード）又は第２の制御モード（コントローラモード）に切替え、前記第１の制御モードにおいて、上位装置からのコマンドに基づいて、印刷装置もしくは画像入力装置の何れか一方の装置を選定し、選定した装置で認識可能な実行コマンドを生成する。すなわち、第１の制御モードで上位装置から画像入力装置および印刷装置を直接制御でき、かつ第２の制御モードで画像入力装置で画像を取得し、該画像を印刷装置で印刷する、いわゆるコピー制御を行うことができる。また、本発明のインタフェース制御装置を、上位装置と、印刷装置および画像入力装置との間に設けるだけでよく、第１の制御モードおよび第２の制御モードを切替えて動作するための拡張ボードを作成し、該拡張ボードを印刷装置および画像入力装置のそれぞれに実装しなくてもよいことから、製造コストを低減することができる。
【００１１】
また、本発明の画像処理システムによれば、ＬＡＮ送受信部で受信した通信コマンドを解析し、印刷装置又は画像入力装置の何れか一方の装置を選定するためのコマンドを生成するコマンド変換部を設けたことにより、ネットワークを介して接続する上位装置からも印刷装置および画像入力装置を直接制御できる、いわゆるネットワークスキャンやネットワークプリントを行うことができる。更に本発明の画像処理システムによれば、ネットワーク接続することにより、各上位装置から画像入力装置および印刷装置の各々に直接ケーブル接続する必要がなく、ケーブル接続本数を低減することができる。
【発明を実施するための最良の形態】
【００１２】
以下、本発明の実施形態について図を用いて詳細に説明する。以下の説明では、各実施の形態に用いる図面について同一の構成要素は同一の符号を付し、かつ重複する説明は可能な限り省略する。
【実施例１】
【００１３】
以下、本発明の実施例１について図１〜図３を用いて詳細に説明する。
図１に本発明の実施例１のインタフェース制御装置１０及びそれを用いた画像処理システムの構成を示す。該画像処理システムは、上位装置であるパソコン１、画像入力装置であるスキャナ２、印刷装置であるプリンタ３およびインタフェース制御装置１０で構成される。
【００１４】
インタフェース制御装置１０は、パソコン１とスキャナ２およびプリンタ３の間に配置され、それらと電気的に接続されるインタフェース部１１と、インタフェース部１１に接続されている装置間の通信で用いられるＳＢＰ−２などの通信プロトコル処理を行うとともに、パソコン1からのコマンドを解析して、パソコン1の接続対象をプリンタ３およびスキャナ２から選択し、選定した装置において認識可能な実行コマンドを生成するコマンド管理部１２と、各部を統括的に制御する制御部１３と、画像データおよび印刷データと、パソコン１、スキャナ２およびプリンタ３との間の通信に必要な情報とを格納するメモリ部１５と、メモリ部１５への読み出しや書込みを管理するメモリ管理部１４と、画像データへガンマ補正モアレ除去などの画像処理を行う画像処理部１６および使用者がコピー指示などの入力を行う操作パネル１８と入力管理部１９を備える入力部１７とで構成される。
【００１５】
インタフェース制御装置１０は、２つの制御モードを有している。即ち、第１の制御モード（ハブモード）と第２の制御モード（コントローラモード）である。ハブモードは、パソコン１から制御信号を分岐してプリンタ３とスキャナ２へ中継するように動作させるべく制御を行う。すなわちハブモードでは、スキャナ２およびプリンタ３の通信状態を監視しつつ、パソコン１からのスキャン要求又はプリント要求の監視や、入力部１７からのモード切替を監視する。コントローラモードは、パソコン１との接続を遮断して、スキャナ２を使用し画像データを取得して、該取得した画像データに対してインタフェース制御装置内にて画像処理を加えた後、プリンタ３へ処理後の画像データを送り用紙上にコピー画像を形成すべく制御する。
【００１６】
インタフェース部１１は、パソコン１とスキャナ２とプリンタ３とそれぞれにＩＥＥＥ１３９４ケーブルで接続するためのインタフェースを所有する。また、インタフェース部１１は、接続されているスキャナ２およびプリンタ３などの他ノードが通信中であるか否かの状態を監視し、パソコン１とスキャナ２との通信処理やパソコン１とプリンタ３との通信処理などを行う。また、インタフェース部１１は、待機状態（ハブモード）の時にはＩＥＥＥ１３９４ハブとしても動作する。コマンド管理部１２は、インタフェース部１１に接続されている装置間の通信で用いられるＳＢＰ−２などの通信プロトコル処理を行う。また、パソコン1からコマンドを解析しハブモードではパソコン1の対象機種をスキャナ2またはプリンタ３から選定している。
【００１７】
制御部１３は、インタフェース制御装置１０について装置全体の制御を行う。即ち、制御部１３は、インタフェース制御装置１０が初期化処理を終了するとインタフェース部１１をハブモードに設定する。スキャナ２およびプリンタ３が空きの状態であり、コピー要求のある場合、制御部１３は、インタフェース部１１をコントロールモードに設定する。スキャナ２またはプリンタ３のいずれかが未設続或いはその両方が未設続でコピー動作が出来ない場合、入力部１７へ操作パネル１８に「コピー動作が出来ません。」旨のメッセージを表示するように指示をする。また、スキャナ２およびプリンタ３が通信中である場合は、「スキャナおよびプリンタがビジーである。」旨のメッセージを操作パネル１８に表示するように入力部１７へ指示をする。また、スキャナ２およびプリンタ３から取得したノード情報をメモリ部１５へ格納するようにメモリ管理部１４へ指示をする。
【００１８】
メモリ管理部１４は、制御部１３からの指示に従ってメモリ部１５へのリード処理やライト処理を行う。メモリ管理部１４が扱うデータは、画像データや印刷データや動作環境を設定するＲＯＭ情報やインタフェース部１１に接続されているノードの情報などである。
画像処理部１６は、スキャナ２で取得されてそこから送られてきた画像データへガンマ補正、モアレ除去、エッジ強調などの画像処理及びカラーマッチング処理を行う。
【００１９】
入力部１７は、ＬＣＤディスプレイやＬＥＤ表示器の配置された表示部とスタートキーを始めとし複数の操作キー、複数の操作ボタンまたはタッチパネルを有している。操作ボタンには拡大倍率設定ボタンや縮小倍率設定ボタンや用紙選択ボタンや原稿タイプ設定ボタンなどある。使用者はこれらの設定ボタンを操作してコピー部数やコピー倍率などのコピー条件を設定する。コピー条件の設定を完了した後、使用者はコピー開始（スタートキー）を操作する。コピー条件の設定は、前回のものを記憶しておき表示部のディスプレイに表示できるようにして、変更を必要としない場合は使用者が確認後そのまま使用し、変更を必要とする部分のみに対して新たな設定をすると良い。
入力管理部１９は、入力部１７とインタフェース制御部１３間のデータの送受信を制御する。
【００２０】
図２は、インタフェース制御装置の電源投入時に行われる初期化処理の流れを示す図である。
インタフェース制御装置１０の電源をオンにすると、インタフェース部１１は、制御部１３からの指示に従って、インタフェース部１１に接続されているスキャナ２やプリンタ３などのノードの情報、即ちパソコン１やスキャナ２やプリンタ３の動作環境を設定するＲＯＭ情報などのノード情報を取得する（Ｆ１）。インタフェース部１１は、スキャナ２とプリンタ３の接続状態を検出し（Ｆ２）、制御部１３は、スキャナ２またはプリンタ３のいずれかが未接続場合もしくは両方が未接続の場合コピー動作が不可能である旨のメッセージを入力部１７のディスプレイに表示させる（Ｆ４）。
【００２１】
スキャナ２とプリンタ３の両方が正常に接続されている場合、メモリ管理部１４が制御部１３の指示に従いスキャナ２とプリンタ３に関するノード情報のメモリ部１５への書込みを実行する（Ｆ３）。スキャナ２とプリンタ３に関するノード情報のメモリ部１５への書込みが正常に完了すると、制御部１３はインタフェース部１１をハブモードに設定して（Ｆ５）、インタフェース制御装置１０は待機状態へ移行する。  インタフェース制御装置１０は、待機状態ではハブとしてのみ動作し、上位装置であるパソコン１からスキャナ２を直接制御して画像入力装置として利用することができるし、プリンタ３を直接制御して出力装置として利用することができる。
【００２２】
図３は、実施例１のコピー要求に即応が可能な画像処理システムにおけるコピー処理の流れを示す図である。
入力部１７の操作パネルでスタートキーが操作される（Ｆ６）と、入力管理部１９はスタートキーが操作されたことを示す“スタートキー操作”のメッセージを制御部１３へ送出する（Ｆ７）。
制御部１３は、インタフェース部１１へスキャナ２とプリンタ３の状態確認を要求する。インタフェース部１１は、スキャナ２とプリンタ３の接続状態を確認する（Ｆ８、Ｆ９）。スキャナ２またはプリンタ３のいずれかもしくは両方が未接続である場合は、制御部１３は、入力部１７へ指示して”コピー動作が不可能である”旨を知らせるメッセージを入力部１７のディスプレイに表示させる（Ｆ１１）。
【００２３】
スキャナ２とプリンタ３の両方が接続されている場合は、インタフェース部１１は、スキャナ２またはプリンタ３のいずれかがパソコンと通信中であるかどうかを確認する（Ｆ１０）。通信中であった場合、制御部１３は、入力部１７へ指示して”スキャナ２またはプリンタ３のいずれかがビジー状態である”旨を知らせるメッセージを入力部１７のディスプレイに表示させる（Ｆ１１）。
【００２４】
スキャナ２とプリンタ３のいずれもパソコンと通信状態でない場合、制御部１３はインタフェース部１１をコントローラモードに設定する（Ｆ１２）。制御部１３は、コマンド管理部１２に対してスキャナ２を制御するための実行コマンドを生成するようにおよびＳＢＰ−２などの通信プロトコルの処理を開始するように要求し、スキャナ２から画像データを取得する（Ｆ１３）。画像処理部１６は、スキャナ２から取得された画像データに対して、制御部１３の指示に従ってガンマ補正やモアレ除去などの画像処理およびカラーマッチング処理を行う（Ｆ１４）。
【００２５】
次に、制御部１３は、コマンド管理部１２に対し、プリンタ3用実行コマンドを生成するようにおよびＳＢＰ−２などの通信プロトコルの処理を開始するように要求し、画像（コピー）データをプリンタ３へ送出する（Ｆ１４）。コピー動作が完了した場合（Ｆ１５）、制御部１３は、インタフェース部１1をハブモードに設定する。
【００２６】
実施例１のインタフェース制御装置によれば、２つの制御モード、即ちハブモードとコントローラモードとの切替えを行うインタフェース制御装置を設けることにより、ハブモードでは、パソコン１から制御信号を分岐してプリンタ３とスキャナ２へ中継するように制御し、コントローラモードは、パソコン１との接続を遮断して、スキャナ２を使用し画像データを取得して、該取得した画像データに対してインタフェース制御装置内にて画像処理を加えた後、プリンタ３へ処理後の画像データを送り用紙上にコピー画像を出力するように制御する。更に、インタフェース制御装置をパソコン１と、スキャナ２およびプリンタ３との間に設けるだけでよいことから、ハブモードおよびコントローラモードを切替えるための拡張ボードをスキャナ２およびプリンタ３のそれぞれに実装する必要がなく、製造コストを低減することができる。
【実施例２】
【００２７】
図４に本発明の第２の実施例のインタフェース制御装置及び該インタフェース制御装置を用いた画像処理システムの構成を示す。
該画像処理システムは、上位装置であるパソコン１と、パソコン４と、スキャナ２と、プリンタ３と、インタフェース制御装置１００およびネットワーク２２で構成される。
【００２８】
インタフェース制御装置１００は、パソコン１とスキャナ２およびプリンタ３の間に配置されそれらと電気的に接続されるインタフェース部１１と、インタフェース部１１に接続されている装置間の通信で用いられるＳＢＰ−２などの通信プロトコル処理を行うとともに、パソコン1からのコマンドを解析して、パソコン1の接続対象をプリンタ３およびスキャナ２から選択し、選定した装置において認識可能な実行コマンドを生成するコマンド管理部１２と、各部を統括的に制御する制御部１３０と、画像データや印刷データやパソコン１とスキャナ２およびプリンタ３の情報を格納するメモリ部１５と、メモリ部１５への読み出しや書込みを管理するメモリ管理部１４と、画像データへガンマ補正、モアレ除去などの画像処理を行う画像処理部１６と、使用者がコピー指示などの入力を行う操作パネル１８と入力管理部１９を備える入力部１７と、コマンド変換部２０およびＬＡＮ送受信部２１とで構成される。
【００２９】
コマンド変換部２０は、ＬＡＮ（Ｌｏｃａｌ  Ａｒｅａ  Ｎｅｔｗｏｒｋ）経由で受信した通信コマンドを解析し、コマンド管理部１２でターゲットとなる装置を制御するための実行コマンドを生成可能なコマンド変換処理を行う。
ＬＡＮ送受信部２１は、ＬＡＮ経由でのインタフェース制御装置１００へのアクセス監視およびＬＡＮ経由での通信を処理する。
【００３０】
ネットワーク２２には、パソコン４が複数接続されている。それらのパソコン４には各々ＩＰアドレスが付与され、該ＩＰアドレスを参照してパソコン間の通信がＬＡＮを介して行われる。また、ネットワーク２２上に接続された各パソコン４と、パソコン1との通信もＬＡＮ送受信部２１を経由して行われる。
【００３１】
図５は、第２の実施例のコピー要求に即応が可能な画像処理システムにおけるネットワークスキャン処理及びネットワークプリント処理の流れを示す。
ＬＡＮ送受信部２１は、ＬＡＮ経由でインタフェース制御装置１００へのアクセスを検出する（Ｆ２０）と、”ＬＡＮアクセスあり”というメッセージを制御部１３０へ送出する（Ｆ２１）。制御部１３０は、コマンド変換部２０に対してコマンド変換の処理を要求する。コマンド変換部２０は、ＬＡＮ経由で受信した通信コマンドのターゲットとなる装置を判別して、コマンドを生成する処理を行う（Ｆ２２）。制御部１３０は、インタフェース部１１へターゲットとなる装置の状態確認を要求する。インタフェース部１１は、ターゲットとなる装置の接続状態を確認する（Ｆ２３、Ｆ２４）。ターゲットとなる装置がインタフェース部１１に未だ接続されていない場合、制御部１３０は入力部１７へ指示して”ネットワークスキャンなどのネットワーク動作が不可能である”旨のメッセージを入力部１７のディスプレイに表示させる（Ｆ２６）。ターゲットとなる装置が接続されている場合、インタフェース部１１はパソコン１とターゲットとなる装置が通信中であるか否かを確認する（Ｆ２５）。ターゲットとなる装置が通信中である場合、制御部１３０は入力部１７へ指示して”ターゲットとなる装置がビジー状態である”旨を知らせるメッセージを入力部１７のディスプレイに表示させる（Ｆ２６）。
【００３２】
逆に、ターゲットとなる装置が通信の状態でない場合、制御部１３０はインタフェース部１１の動作をコントローラモードに設定する（Ｆ２７）。制御部１３０は、コマンド管理部１２に対して、ターゲットとなる装置を制御するための実行コマンドの生成するようにおよびＳＢＰ−２などのプロトコルの処理を開始するように要求し、ターゲットとなる装置へ実行コマンドを送信する（Ｆ２８）。ネットワーク動作が完了した場合（Ｆ２９）、制御部１３０は、インタフェース部１１をハブモードに設定する。
【００３３】
実施例２の画像処理システムによれば、インタフェース制御装置にコマンド変換部２０およびＬＡＮ送受信部２１を設けることにより、該インタフェース制御装置にパソコン４をＬＡＮ接続し、パソコン４からの通信コマンドを解析し、スキャナ２又はプリンタ３を選定するためのコマンドを生成する。これにより、ネットワークスキャン機能およびネットワークプリント機能を実現することができる。更に実施例２の画像処理システムによれば、ネットワーク上のパソコン４から受信した通信コマンドを解析してコマンドを生成し、該コマンドに基づいてターゲットとなる装置で認識可能の実行コマンドを生成し、ターゲット先に伝送するため、インタフェース制御装置にＬＡＮケーブルを介してパソコン４を接続するだけでよく、スキャナ２およびプリンタ３の各々にケーブルを接続する必要が無い。更にＩＰアドレスについても、各プリンタ４がインタフェース制御装置と通信するためのＩＰアドレスを、プリンタ３およびスキャナ２に１つだけ取得して管理すれば良いことから、各プリンタ４毎にスキャナ２およびプリンタ３間でアドレスをそれぞれ取得する必要がなく、ＩＰアドレスの付与および管理が煩雑となる問題から使用者を開放することができる。
【産業上の利用可能性】
【００３４】
以上の実施例１と実施例２の画像処理システムに関する説明では、ＩＥＥＥ１３９４インタフェースでの接続を用いたが、これに限定するものでなく、ＵＳＢインタフェース接続を使用してもシステムを構築できることは勿論である。
また、使用するスキャナとプリンタがＩＰｏｖｅｒ１３９４規格をサポートしている場合、ＬＡＮ経由で受信した通信コマンドをインタフェース制御装置内で変換することなく、ＩＥＥＥ１３９４インタフェースを経由して直接スキャナやプリンタへコマンドを転送することが可能となる。
【図面の簡単な説明】
【００３５】
【図１】実施例１のインタフェース制御装置およびそれに用いた画像処理システムの構成を示す図である。
【図２】インタフェース制御装置の電源投入時の初期化処理を流れ示す図である。
【図３】実施例１の画像処理システムにおけるコピー処理の流れを示す図である。
【図４】実施例２のインタフェース制御装置およびそれに用いた画像処理システムの構成を示す図である。
【図５】実施例２の画像処理システムにおけるネットワークスキャン処理およびネットワークプリント処理の流れを示す図である。
【符号の説明】
【００３６】
１          上位装置（パソコン）
２          画像入力装置（スキャナ）
３          プリンタ
４          ネットワーク上のパソコン
１０、１００  インタフェース制御装置
１１          インタフェース部
１２          コマンド管理部
１３、１３０  インタフェース制御部
１４          メモリ管理部
１５          メモリ部
１６          画像処理部
１７          入力部
１８          操作パネル
１９          入力管理部
２０          コマンド変換部
２１          ＬＡＮ送受信部
２２          ネットワーク
【図１】
2005267412.tif 000003
【図２】
2005267412.tif 000004
【図３】
2005267412.tif 000005
【図４】
2005267412.tif 000006
【図５】
2005267412.tif 000007